(57)【要約】      （修正有）【課題】こたつの使用者が低温火傷を負う可能性を抑制することが可能なこたつを提供する。【解決手段】金属製の複数の脚部２１及び脚部２１に支持される金属製の枠体２２及び枠体２２に間隙を介して架設される金属製の複数の桟を有する櫓２０、及び櫓２０の枠体２２に載置される天板３０を備えるこたつ１０において、櫓２０の枠体２２に架設される各桟の下方に配置されるヒータ４０、及び、ヒータ４０が下方に配置された各桟が枠体２２に架設される部分において枠体２２に設けられる防熱材５０を備える。【選択図】図１
0003216573.tif 000002
【実用新案登録請求の範囲】
【請求項１】
金属製の複数の脚部及び該脚部に支持される金属製の枠体及び該枠体に間隙を介して架設される金属製の複数の桟を有する櫓、及び該櫓の前記枠体に載置される天板を備えるこたつにおいて、
前記櫓の前記枠体に架設される前記各桟の下方に配置されるヒータと、
該ヒータが下方に配置された前記各桟が前記枠体に架設される部分において該枠体に設けられる防熱材と、
を備えることを特徴とするこたつ。
【請求項２】
前記防熱材は、
前記枠体の辺に沿って伸長する一端縁及び該一端縁と対向する他端縁を有する長尺状に形成され、
前記一端縁における前記各桟に対応する位置に凹状の切欠部が形成されたことを特徴とする請求項１に記載のこたつ。
【請求項３】
前記防熱材は、
前記枠体に巻回されて前記一端縁と前記他端縁とが重ね合わせられた際に前記一端縁と前記他端縁とを係着する係着部材が設けられたことを特徴とする請求項２に記載のこたつ。
【考案の詳細な説明】
【技術分野】
【０００１】
本考案は、こたつ、特に、金属製の複数の脚部及び脚部に支持される金属製の枠体及び枠体に間隙を介して架設される金属製の複数の桟を有する櫓、櫓の枠体に載置される天板を備えるこたつに関する。
【背景技術】
【０００２】
こたつは、一般的に、ヒータが設けられた櫓及び櫓に載置される天板を主要構成として備え、櫓は、例えば複数の脚部及びこれら脚部に支持された複数の桟によって構成された天板受部を有して形成される。
【０００３】
特許文献１には、櫓の天板受部に設けられたヒータに断熱材が配置されたこたつが開示されている。この特許文献１のこたつは、天板受部と天板との間に凹所が形成され、この凹所にヒータが配置され、配置されたヒータの上面に断熱材が配置される。
【０００４】
この特許文献１のこたつによれば、天板受部と天板との間の凹所に配置されたヒータに断熱材が配置されていることから、掛布団がない状態でこたつを使用した場合であっても、良好な暖気を得ることができる。
【先行技術文献】
【特許文献】
【０００５】
【特許文献１】特開平１１−２０１４６９公報
【考案の概要】
【考案が解決しようとする課題】
【０００６】
ところで、主に意匠性の向上を図る観点から、金属製の櫓を採用したこたつが提供されているところ、金属製の部材の熱伝導率は、一般的に、他の材質で製造される部材に対して高いものであることが技術常識として知られている。
【０００７】
そうとすれば、金属製の櫓を採用したこたつにヒータが配置されると、櫓におけるヒータの近傍が高熱となることから、こたつの使用者が高熱となった部分に長時間に亘って接触していると、使用者が低温火傷を負う可能性があることが懸念される。
【０００８】
本考案は、上記事情に鑑みてなされたものであり、こたつの使用者が低温火傷を負う可能性を抑制することが可能なこたつを提供することを課題とするものである。
【課題を解決するための手段】
【０００９】
上記課題を解決するためのこたつは、金属製の複数の脚部及び脚部に支持される金属製の枠体及び枠体に間隙を介して架設される金属製の複数の桟を有する櫓、及び櫓の枠体に載置される天板を備えるこたつにおいて、櫓の枠体に架設される各桟の下方に配置されるヒータと、ヒータが下方に配置された各桟が枠体に架設される部分において枠体に設けられる防熱材と、を備えることを特徴としている。
【００１０】
このように、金属製の櫓を備えるこたつにおいて、ヒータが発熱されると、このヒータが下方に配置される複数の桟も高熱化し、これら各桟が高熱化すると、各桟が架設された部分における枠体も高熱化する。
【００１１】
この枠体において各桟が架設された部分は、こたつの使用者が直接的に接触する可能性のある部分であり、使用者がこの部分に長時間に亘って接触していると、使用者が低温火傷を負う可能性があることから、使用者が直接的に接触する可能性のある高熱化する部分に防熱材が設けられる。
【００１２】
したがって、こたつの使用者が低温火傷を負う可能性が抑制される。
【００１３】
しかも、このこたつの防熱材は、枠体の辺に沿って伸長する一端縁及び一端縁と対向する他端縁を有する長尺状に形成され、一端縁における各桟に対応する位置に凹状の切欠部が形成されたことを特徴としている。
【００１４】
このこたつの防熱材は、枠体の辺に沿って伸長する一端縁を有し、この一端縁における各桟に対応する位置に凹状の切欠部が形成されていることから、切欠部が桟に適合する。したがって、枠体の辺において桟が架設された部分に、防熱材が適切に配置される。
【００１５】
さらに、こたつの防熱材は、枠体に巻回されて一端縁と他端縁とが重ね合わせられた際に一端縁と他端縁とを係着する係着部材が設けられたことを特徴としている。したがって、一端縁と他端縁とを重ね合わせるように巻回させて、一端縁と他端縁とを係着部材を介して係着させることによって、枠体に簡易に防熱材が設けられる。
【考案の効果】
【００１６】
この考案によると、こたつの使用者が低温火傷を負う可能性が抑制される。
【図面の簡単な説明】
【００１７】
【図１】本考案の実施の形態に係るこたつの概略を説明する図である。
【図２】同じく、本実施の形態に係る櫓の概略を説明する図である。
【図３】同じく、本実施の形態に係る防熱材の概略を説明する平面図である。
【図４】同じく、本実施の形態に係る防熱材を枠体の辺に巻回する場合の概略を説明する図である。
【図５】同じく、本実施の形態に係る防熱材が枠体の辺に設けられた状態の概略を説明する図である。
【考案を実施するための形態】
【００１８】
次に、図１〜図５に基づいて、本考案の実施の形態について説明する。
【００１９】
図１は、本実施の形態に係るこたつの概略を説明する図である。図示のように、こたつ１０は、金属製の櫓２０、及びこの櫓２０に載置される木製の天板３０を主要構成として備える。
【００２０】
櫓２０には、本実施の形態では、石英管を用いたヒータ４０、及びこのヒータ４０の発熱によって高熱となる部分に巻回された防熱材５０が設けられる。
【００２１】
図２は、本実施の形態に係る櫓２０の概略を説明する図である。図示のように、櫓２０は、金属製の複数の脚部、本実施の形態では４本の脚部２１、これら各脚部２１に支持される金属製の枠体２２を備える。
【００２２】
さらに、本実施の形態では、各脚部２１と枠体２２との間に金属製の補強部材２３が架設されて、枠体２２が各脚部２１に強固に支持される。
【００２３】
枠体２２は、第１辺２２ａ、この第１辺２２ａと対向する第２辺２２ｂ、第１辺２２ａの一端部と第２辺２２ｂの一端部とを連結して第１辺２２ａ及び第２辺２２ｂに対して短尺に形成された第３辺２２ｃ、及びこの第３辺２２ｃと対向して第１辺２２ａの他端部と第２辺２２ｂの他端部とを連結して第１辺２２ａ及び第２辺２２ｂに対して短尺に形成された第４辺２２ｄを有する、平面視略矩形に形成される。
【００２４】
本実施の形態では、この枠体２２の第１辺２２ａと第２辺２２ｂとの間に、金属製の複数の桟２４が架設される。
【００２５】
この桟２４は、第１辺２２ａと第２辺２２ｂの略中央部分において第１辺２２ａと第２辺２２ｂとの間に架設される第１桟２４ａ、第１桟２４ａと間隙を介して第１桟２４ａの両側に配置されて第１辺２２ａと第２辺２２ｂとの間に架設される第２桟２４ｂ及び第３桟２４ｃ、第１桟２４ａと第２桟２４ｂとの間で第１辺２２ａと第２辺２２ｂとの間に架設される第４桟２４ｄ、及び第１桟２４ａと第３桟２４ｃとの間で第１辺２２ａと第２辺２２ｂとの間に架設される第５桟２４ｅによって構成される。
【００２６】
これら第２桟２４ｂから第３桟２４ｃの下部には、本実施の形態では、第１桟２４ａ〜第５桟２４ｅを覆うボード２５が配置される。
【００２７】
このボード２５の下面であって第４桟２４ｄ及び第５桟２４ｅの下部に、ヒータ４０が配置される。
【００２８】
このように形成される櫓２０を備えるこたつ１０において、ヒータ４０が発熱されると、ヒータ４０が配置された第４桟２４ｄ及び第５桟２４eも熱伝導によって高熱化する。
【００２９】
第４桟２４ｄ及び第５桟２４ｅが高熱化すると、第４桟２４ｄ及び第５桟２４ｅが架設された部分における第１辺２２ａ及び第２辺２２ｂも高熱化する。
【００３０】
この第１辺２２ａ及び第２辺２２ｂにおいて第４桟２４ｄ及び第５桟２４ｅが架設された部分は、こたつ１０の使用者が直接的に接触する可能性のある部分であり、使用者がこの部分に長時間に亘って接触していると、使用者が低温火傷を負う可能性がある。
【００３１】
そこで、本実施の形態では、使用者が直接的に接触する可能性のある高熱化する部分に、防熱材５０が巻回されて設けられる。
【００３２】
図３は、防熱材５０の概略を説明する平面図である。図示のように、防熱材５０は、矢線Ｌで示す枠体２２の第１辺２２ａあるいは第２辺２２ｂの伸長方向に伸長する一端縁５１及びこの一端縁５１と対向する他端縁５２を有する長尺状であって、内表面５０Ａ及び外表面５０Ｂが設定された平面状に形成される。
【００３３】
この防熱材５０には、本実施の形態では、一端縁５１に凹状の切欠部５３が形成されている。この切欠部５３は、防熱材５０が第１辺２２ａあるいは第２辺２２ｂに巻回された場合において、第１辺２２ａ及び第２辺２２ｂにおいて第１桟２４ａ〜第５桟２４ｅが架設された部分に対応する位置に形成される。
【００３４】
具体的には、第１桟２４ａに対応する第１切欠部５３ａ、第２桟２４ｂ及び第３桟２４ｃにそれぞれ対応する第２切欠部５３ｂ及び第３切欠部５３ｃ、第４桟２４ｄに対応する第４切欠部５３ｄ、及び第５桟２４ｅに対応する第５切欠部５３ｅによって、切欠部５３が構成されている。
【００３５】
防熱材５０の一端縁５１における外表面５０Ｂ側には、本実施の形態では面ファスナの雄部材５４ａが形成され、防熱材５０の他端縁５２における内表面５０Ａ側には、面ファスナの雌部材５４ｂが形成される。
【００３６】
この雄部材５４ａ及び雌部材５４ｂによって、本実施の形態では係着部材が構成され、防熱材５０が枠体２２の第１辺２２ａあるいは第２辺２２ｂに巻回されて一端縁５１と他端縁５２とが重ね合わせられると、一端縁５１と他端縁５２とが係着される。
【００３７】
この防熱材５０は、本実施の形態では難燃性ポリ塩化ビニルを用いて形成されているが、他に例えば、難燃性があって耐熱温度が高く、熱伝導率が低い他の素材を用いて形成してもよい。
【００３８】
図４は、防熱材５０を枠体２２の第１辺２２ａあるいは第２辺２２ｂに巻回する場合の概略を説明する図である。図示のように、防熱材５０は、枠体２２の第１辺２２ａとボード２５との間隙に一端縁５１側から挿入される。
【００３９】
防熱材５０が第１辺２２ａとボード２５との間隙に挿入される際には、一端縁５１に形成された切欠部５３の第１切欠部５３ａ〜第５切欠部５３ｅが、第１桟２３ａ〜第５桟２３ｅに位置決めされた状態で挿入される。
【００４０】
これにより、第１切欠部５３ａ〜第５切欠部５３ｅがそれぞれ、第１桟２４ａ〜第５桟２４ｅに適合することから、第１辺２２ａにおいて第１桟２４ａ〜第５桟２４ｅが架設された部分に防熱材５０が適切に配置される。
【００４１】
このとき、一端縁５１と他端縁５２とを重ね合わせるように巻回させて、一端縁５１の雄部材５４ａと他端縁５２の雌部材５４ｂとを係着させることによって、図５に示すように、第１辺２２ａに防熱材５０が設けられる。
【００４２】
この防熱材５０は、第１辺２２ａに設けられる場合と同様に、第２辺２２ｂにおいて第１桟２４ａ〜第５桟２４ｅが架設された部分に配置されて、第２辺２２ｂにも設けられる。
【００４３】
このように、本実施の形態のこたつ１０は、ヒータ４０の発熱によって高熱化する第１桟２４ａ〜第５桟２４ｅが架設された部分における第１辺２２ａ及び第２辺２２ｂに、防熱材５０が設けられることから、こたつの使用者が低温火傷を負う可能性が抑制される。
【００４４】
この防熱材５０は、枠体２２の第１辺２２ａあるいは第２辺２２ｂの伸長方向に伸長する一端縁５１を有し、この一端縁５１における第１桟２４ａ〜第５桟２４ｅが架設された部分に対応する位置に、凹状の切欠部５３が形成されていることから、第１切欠部５３ａ〜第５切欠部５３ｅがそれぞれ、第１桟２４ａ〜第５桟２４ｅに適合する。
【００４５】
したがって、第１辺２２ａ及び第２辺２２ｂにおいて、第１桟２４ａ〜第５桟２４ｅが架設された部分に、防熱材５０が適切に配置される。
【００４６】
さらに、防熱材５０の一端縁５１における外表面５０Ｂ側には、面ファスナの雄部材５４ａが形成され、他端縁５２における内表面５０Ａ側には、面ファスナの雌部材５４ｂが形成される。
【００４７】
したがって、一端縁５１と他端縁５２とを重ね合わせるように巻回させて、一端縁５１の雄部材５４ａと他端縁５２の雌部材５４ｂとを係着させることによって、第１辺２２ａ及び第２辺２２ｂに、簡易に防熱材５０が設けられる。
【００４８】
なお、本考案は上記実施の形態に限定されることはなく、考案の趣旨を逸脱しない範囲で種々変更可能である。上記実施の形態では、櫓２０の枠体２２に第１桟２４ａ〜第５桟２４ｅが架設された場合を説明したが、桟２４の数は、枠体２２の寸法に応じて適宜変更可能である。
【００４９】
上記実施の形態では、防熱材５０の一端縁５１における第１桟２４ａ〜第５桟２４ｅが架設された部分に対応する位置に、第１切欠部５３ａ〜第５切欠部５３ｅが形成された場合を説明したが、第１辺２２ａと第２辺２２ｂとの間に架設される桟２４の位置や本数に応じて、切欠部５３の位置や数を適宜変更することができる。
【００５０】
上記実施の形態のこたつ１０を、こたつ布団を用いないでテーブルとして使用する場合は、面ファスナで係着された防熱材５０の一端縁５１と他端縁５２との係着を解除して、防熱材５０を第１辺２２ａ及び第２辺２２ｂから取り外すことができる。
【００５１】
したがって、暖房器具として使用しないでテーブルとして使用する場合のこたつ１０の美観性を損なうことがない。
【符号の説明】
【００５２】
１０    こたつ
２０    櫓
２１    脚部
２２    枠体
２２ａ    第１辺
２２ｂ    第２辺
２４    桟
３０    天板
４０    ヒータ
５０    防熱材
５１    一端縁
５３    切欠部
５４ａ    雄部材（係着部材）
５４ｂ    雌部材（係着部材）
Ｌ    伸長方向
【図１】
0003216573.tif 000003
【図２】
0003216573.tif 000004
【図３】
0003216573.tif 000005
【図４】
0003216573.tif 000006
【図５】
0003216573.tif 000007